(57)【要約】【課題】両バックル体の連結を繰返すことにより弾性片に生じる弾性の劣化を防ぎ、バックルの繰返し使用が長期に亘って可能となるバックルを提供すること。【解決手段】側部に窓穴Ａを有する筒形状の雌バックル体７と、弾性を有する弾性片８，８が設けられた雄バックル体６とを備え、弾性片８，８を雌バックル体７の内部に嵌入し、弾性片８を窓穴Ａから露出させるとともに窓穴Ａに係止させて両バックル体６，７を連結し、窓穴Ａから露出した弾性片８を押圧操作することで両バックル体６，７を連結解除するバックル１であって、雌バックル体７の内部に、両バックル体６，７を連結及び連結解除する際に弾性片８と当接し、弾性片８を窓穴Ａに向けて付勢する弾性部９が設けられている。【選択図】図２
2008307342.tif 000002
【特許請求の範囲】
【請求項１】
側部に窓穴を有する筒形状の雌バックル体と、弾性を有する弾性片が設けられた雄バックル体とを備え、前記弾性片を前記雌バックル体の内部に嵌入し、該弾性片を前記窓穴から露出させるとともに窓穴に係止させて両バックル体を連結し、前記窓穴から露出した弾性片を押圧操作することで両バックル体を連結解除するバックルであって、
前記雌バックル体の内部に、両バックル体を連結及び連結解除する際に前記弾性片と当接し、該弾性片を前記窓穴に向けて付勢する弾性部が設けられていることを特徴とするバックル。
【請求項２】
前記弾性部における前記弾性片との当接部に、両バックル体を連結解除する際に前記弾性片を両バックル体の連結解除方向に向けて摺接案内する摺接案内面が形成されていることを特徴とする請求項１に記載のバックル。
【請求項３】
前記雌バックル体の内面に、前記両バックル体を連結解除する際に前記弾性片を両バックル体の連結解除方向に向けて摺接案内する摺接ガイド面が設けられ、
前記摺接ガイド面と前記摺接案内面とは、前記弾性片の両側において解除方向に向かって開放するように対向配置されていることを特徴とする請求項２に記載のバックル。
【請求項４】
前記弾性部に、前記両バックル体の連結方向に沿って切り欠かれた切欠き部が形成されているとともに、前記弾性片に、前記切欠き部に嵌挿される嵌挿部が延設されていることを特徴とする請求項１ないし３のいずれかに記載のバックル。
【請求項５】
前記弾性片は、互いに別個に設けられた一対の弾性片からなり、
前記弾性部は、前記一対の弾性片の対向面側に夫々当接可能に設けられた一対の弾性部からなり、
前記雄バックル体に、少なくとも両バックル体が連結された状態において前記一対の弾性部の対向面間に配置される中足部が設けられていることを特徴とする請求項１ないし４のいずれかに記載のバックル。
【発明の詳細な説明】
【技術分野】
【０００１】
本発明は、側部に窓穴を有する筒形状の雌バックル体と、弾性を有する弾性片が設けられた雄バックル体とを備え、この弾性片を雌バックル体の内部に嵌入し、弾性片を窓穴から露出させるとともに窓穴に係止させて両バックル体を連結し、窓穴から露出した弾性片を押圧操作することで両バックル体を連結解除するバックルに関する。
【背景技術】
【０００２】
従来のバックルは、雄バックルと雌バックルの２つの分離された部材から構成され、それぞれのバックルに形成された巻回部にベルトを取り付け、雌バックルの筒状部に雄バックルの弾性片を挿し込んで雌バックルの窓穴から突出させるとともに、この弾性片が雌バックルの窓穴周縁に係合されて連結される。また、窓穴から突出した弾性片を押圧操作することで、弾性片の窓穴周縁の係合を外し、バックルを連結解除するようになっている（例えば、特許文献１参照）。
【０００３】
【特許文献１】特許第３２１０７９８号公報（第３頁、第４図）
【発明の開示】
【発明が解決しようとする課題】
【０００４】
しかしながら、特許文献１にあっては、雄バックルに設けられた弾性片の弾性を利用して、両バックルの連結及び連結解除を繰り返すことにより、弾性片の弾性力が経時的に劣化してしまい、両バックルを所定に連結が出来なくなるという不具合が生じていた。
【０００５】
本発明は、このような問題点に着目してなされたもので、両バックル体の連結を繰返すことにより弾性片に生じる弾性の劣化を防ぎ、バックルの繰返し使用が長期に亘って可能となるバックルを提供することを目的とする。
【課題を解決するための手段】
【０００６】
上記課題を解決するために、本発明の請求項１に記載のバックルは、
側部に窓穴を有する筒形状の雌バックル体と、弾性を有する弾性片が設けられた雄バックル体とを備え、前記弾性片を前記雌バックル体の内部に嵌入し、該弾性片を前記窓穴から露出させるとともに窓穴に係止させて両バックル体を連結し、前記窓穴から露出した弾性片を押圧操作することで両バックル体を連結解除するバックルであって、
前記雌バックル体の内部に、両バックル体を連結及び連結解除する際に前記弾性片と当接し、該弾性片を前記窓穴に向けて付勢する弾性部が設けられていることを特徴としている。
この特徴によれば、両バックル体の連結の際に、雄バックル体に設けられた弾性片自体の弾性に加え、雌バックル体に設けられた弾性部が、弾性片に窓穴に向けて付勢力を付与することで、両バックル体の連結を繰返すことにより弾性片に生じる弾性の劣化を防ぎ、バックルの繰返し使用が長期に亘って可能となる。
【０００７】
本発明の請求項２に記載のバックルは、請求項１に記載のバックルであって、
前記弾性部における前記弾性片との当接部に、両バックル体を連結解除する際に前記弾性片を両バックル体の連結解除方向に向けて摺接案内する摺接案内面が形成されていることを特徴としている。
この特徴によれば、両バックル体の連結解除の際に、弾性片を押圧操作するだけで、弾性部に形成された摺接案内面を利用して、窓穴に向かう弾性部の付勢力を解除方向に向けられるため、両バックル体の連結解除方向に別段の外力を加えなくても、弾性部の付勢力により両バックル体を連結解除出来る。
【０００８】
本発明の請求項３に記載のバックルは、請求項２に記載のバックルであって、
前記雌バックル体の内面に、前記両バックル体を連結解除する際に前記弾性片を両バックル体の連結解除方向に向けて摺接案内する摺接ガイド面が設けられ、
前記摺接ガイド面と前記摺接案内面とは、前記弾性片の両側において解除方向に向かって開放するように対向配置されていることを特徴としている。
この特徴によれば、弾性片の両側に解除方向に向かって開放するように対向配置されている摺接ガイド面と摺接案内面とを利用して、窓穴に向けて弾性片に付与する弾性部の付勢力を解除方向に向け易くなるため、弾性部の付勢力により両バックル体を容易に連結解除出来る。
【０００９】
本発明の請求項４に記載のバックルは、請求項１ないし３のいずれかに記載のバックルであって、
前記弾性部に、前記両バックル体の連結方向に沿って切り欠かれた切欠き部が形成されているとともに、前記弾性片に、前記切欠き部に嵌挿される嵌挿部が延設されていることを特徴としている。
この特徴によれば、弾性片に延設された嵌挿部が、弾性部に形成された切欠き部に沿って嵌挿されるため、両バックル体の連結若しくは連結解除の際に、雄バックル体の雌バックル体内部における位置決めが可能となる。
【００１０】
本発明の請求項５に記載のバックルは、請求項１ないし４のいずれかに記載のバックルであって、
前記弾性片は、互いに別個に設けられた一対の弾性片からなり、
前記弾性部は、前記一対の弾性片の対向面側に夫々当接可能に設けられた一対の弾性部からなり、
前記雄バックル体に、少なくとも両バックル体が連結された状態において前記一対の弾性部の対向面間に配置される中足部が設けられていることを特徴としている。
この特徴によれば、両バックル体の連結の際に、一対の弾性部が、弾性部の対向面間に配置される中足部を反力として利用して、窓穴に向かって一対の弾性片に付与する付勢力を増すことが出来るばかりか、両バックル体の連結解除の際に、弾性部の間に嵌挿される中足部を支持体として利用して、一対の弾性片を偏りなく均等に押圧操作することが出来る。
【発明を実施するための最良の形態】
【００１１】
本発明の実施例を以下に説明する。
【実施例】
【００１２】
本発明の実施例を図面に基づいて説明すると、先ず図１は、本発明の実施例におけるバックルの使用状況を示す斜視図である。図２（ａ）は、バックルの連結状態を示す斜視図であり、（ｂ）は、バックルの連結解除状態を示す斜視図である。図３は、雌バックル体の内部を示す斜視図である。図４（ａ）は、両バックル体を連結する状況を示す一部断面図であり、（ｂ）は、弾性部が弾性片を窓穴に向けて付勢する状況を示す一部断面図であり、（ｃ）は、両バックル体が連結した状況を示す一部断面図である。図５（ａ）は、両バックル体を連結解除する状況を示す一部断面図であり、（ｂ）は、弾性部が弾性片を解除方向に付勢する状況を示す一部断面図であり、（ｃ）は、両バックル体が連結解除した状況を示す一部断面図である。図６は、図４（ｂ）のＢ−Ｂ断面図である。
【００１３】
図１に示されるバックル１は、主に紐状体やベルトの連結を行う際に用いられる連結具であって、本実施例のバックル１の適用例としては、ストラップ２と携帯電話３とを連結するのに用いられる。具体的には、バックル１は、着脱可能に設けられた雄バックル体６と雌バックル体７とから主として構成されており、ストラップ２端部に取付けられたリング４が、雄バックル体６に接続されるとともに、携帯電話３に取付けられた紐５が、雌バックル体７に接続されており、ストラップ２と携帯電話３とが、バックル１を介して着脱可能に連結されている。
【００１４】
図２（ａ）、（ｂ）に示されるように、このバックル１はプラスチック製の樹脂材で構成され、扁平筒状の雌バックル体７の内部に雄バックル体６の一部先端側が収納されている。この雌バックル体７の左右両側部には窓穴Ａ，Ａが形成されており、図２（ａ）及び図４（ｃ）に示されるバックル１の連結状態において、これら窓穴Ａ，Ａから雄バックル体６の弾性片８，８の外側部がそれぞれ突出するように露出して、雌バックル体７の窓穴Ａ，Ａの周縁に係止されることで、雄バックル体６が、雌バックル体７から分離する方向に移動不能に保持されている。
【００１５】
以下、扁平筒状の雌バックル体７の幅広方向、すなわち窓穴Ａ，Ａが開口している方向を左右方向とし、雌バックル体７の幅狭方向を前後方向として説明する。
【００１６】
バックル１について具体的に説明すると、先ず雄バックル体６の先端側には、弾性を有する左右一対の弾性片８，８が図示下方向、すなわち雌バックル体７への嵌入方向に向かって延びるとともに、この一対の弾性片８，８の対向面間に中足部１０が延設されており、これら弾性片８，８と中足部１０が、後述のように雌バックル体７に収容されるように成っている。また、雄バックル体６の基端側には、上記したリング４若しくは紐状体などを挿通可能な挿通孔６ａが形成されている。
【００１７】
一対の弾性片８，８は、これらの中間に位置する仮想の中間面を境に、略対称形状に形成されており、それぞれの弾性片８の先端側に、外側方に向かって膨出する押圧操作部８ａと、内側方に向かって延びる嵌挿部８ｂとが形成されている。そして弾性片８先端側は、その弾性により左右側方に変位可能に成っている。
【００１８】
また、中足部１０は、後述する雌バックル体７の内部に嵌入可能に前後方向に所定の厚さを有するとともに、前後略中央において、左右幅方向に膨出する板状の膨出部１０ａが延設されている。
【００１９】
また、雌バックル体７は、図示上下端側が開口した内空構造に形成されるとともに、左右両側部には、一対の窓穴Ａ，Ａが形成されている。詳しくは、雌バックル体７の上端側は、雄バックル体６を嵌入可能に比較的大口の開口部７ａが形成され、雌バックル体７の下端面略中央に、上記した紐５などを挿通可能な小孔７ｂが形成されている。また、雌バックル体７には、窓穴Ａよりも開口部７ａ側における左右の内側面に、開口部７ａに向かって、すなわち両バックル体６，７の解除方向に向かって開放するように摺接ガイド面７ｃ，７ｃが設けられている。また、雌バックル体７の前後の内側面に、嵌入方向に沿って凹溝７ｅ，７ｅが形成されている。
【００２０】
更に、図３に示されるように、雌バックル体７の内底面に、弾性を有する左右一対の弾性部９，９が、開口部７ａ側に向かって、すなわち嵌入する雄バックル体６に向かって延びている。
【００２１】
一対の弾性部９，９は、これらの中間に位置する仮想の中間面を境に、略対称形状に形成されており、それぞれの弾性部９，９に、両バックル体６，７の連結方向に沿って切り欠かれた切欠き部９ａ，９ａが形成されている。そして後述するように弾性部９は、その弾性により左右側方に変位可能であって、弾性片８を左右外側方若しくは解除方向に向けて付勢できるように成っている。
【００２２】
次に、図４（ａ）〜（ｃ）に基づいて、両バックル体６，７の連結について説明する。
【００２３】
先ず図４（ａ）に示されるように、雄バックル体６を雌バックル体７に対し図示白抜矢印方向に押圧し、雄バックル体６の弾性片８，８、そして中足部１０を、雌バックル体７の開口部７ａから内部に嵌入する。それぞれの弾性片８は、摺接ガイド面７ｃを反力として、弾性部９と当接し中央側に向けて押圧しながら、摺接ガイド面７ｃと弾性部９との間を内方に向けて嵌入する。弾性片８に押圧された弾性部９には、この押圧に反発して弾性片８に対し左右外側方に向けて付勢力が発生している。
【００２４】
また、図４（ｂ）に示されるように、中足部１０が、一対の弾性部９，９の間に嵌入して配置されるように成っており、このようにすることで、両バックル体６，７の連結の際に、雄バックル体６の雌バックル体７内部における左右の位置決めができるとともに、弾性部９は、この中足部１０を反力として、弾性片８に付与する付勢力を増すことができる。
【００２５】
更に、図６に示されるように、弾性片８の嵌挿部８ｂが、弾性部９の切欠き部９ａに沿って嵌挿されるため、雄バックル体６の雌バックル体７内部における前後の位置決めができる。これに加えて、中足部１０の膨出部１０ａが、切欠き部９ａに沿って嵌挿されるため、高精度な位置決めが可能となる。
【００２６】
そして、図４（ｂ）、（ｃ）に示されるように、押圧操作部８ａの後方側に湾曲して形成された突片８ｃが、窓穴Ａの周縁７ｄを超えるとともに、弾性片８自体の弾性力及び弾性部９の付勢力により付勢されているそれぞれの弾性片８が、左右外側方に向けて突出する。そして押圧操作部８ａの突片８ｃが、窓穴Ａから露出した状態で窓穴Ａの周縁７ｄに係止される。すなわち図４（ｃ）に示されるように、両バックル体６，７は、連結解除方向への相対移動が規制された連結状態となる。
【００２７】
両バックル体６，７の連結の際に、雄バックル体６に設けられた弾性片８自体の弾性に加え、雌バックル体７に設けられた弾性部９が、弾性片８に窓穴Ａに向けて付勢力を付与することで、両バックル体６，７の連結動作を繰返すことにより弾性片８に生じる弾性の劣化を防ぎ、バックル１の繰返し使用が長期に亘って可能となる。
【００２８】
次に、図５（ａ）〜（ｃ）に基づいて、両バックル体６，７の連結解除について説明する。
【００２９】
上記した図４（ｃ）に示される両バックル体６，７の連結状態において、図５（ａ）に示されるように、窓穴Ａ，Ａからそれぞれ左右側方に露出した押圧操作部８ａ，８ａを指で摘み、弾性片８自体の弾性力及び弾性部９の付勢力に対抗して、これらを互いに近接させるように図示白抜矢印方向に押圧する。
【００３０】
この押圧操作部８ａの押圧の際に、弾性片８，８の間に位置する一対の弾性部９，９を互いに近接させるように押圧することになるが、弾性部９，９の間に嵌挿され配置される中足部１０を支持体として利用して、一対の弾性片８，８を偏りなく均等に押圧操作することが出来る。
【００３１】
そして、押圧操作部８ａの突片８ｃが窓穴Ａの周縁７ｄの内側に位置するまで、押圧操作部８ａを押圧する。押圧操作部８ａは、その外側面が解除方向に向けて僅かに傾斜しており、この外側面を指で摘んで押圧操作することで、弾性片８に対し解除方向に向けた力が加わることになり、結果として、突片８ｃが摺接ガイド面７ｃに当接することになる。
【００３２】
このとき、弾性部９は内側方に向かって押圧されており、この押圧に反発して、弾性部９には、弾性片８に対し外側方、すなわち窓穴Ａに向かう付勢力が発生している。そして、押圧操作部８ａに当接する当接部である弾性部９の外側面９ｂは、両バックル体６，７の連結解除方向に向けて案内するように傾斜した摺接案内面として形成される。
【００３３】
更に、弾性片８の外側面に当接している摺接ガイド面７ｃと、弾性片８の内側面に当接している弾性部９の外側面９ｂ（摺接案内面）とは、弾性片８の両側において解除方向に向かって開放するように対向配置されている。
【００３４】
図５（ｂ）に示されるように、両バックル体６，７の連結解除の際に、弾性片８を押圧操作するだけで、弾性部９に形成された外側面９ｂ（摺接案内面）を利用して、窓穴Ａに向かう弾性部９の付勢力を、この方向に略直交する解除方向に向けられるため、両バックル体６，７の連結解除方向に別段の外力を加えなくても、弾性部９の付勢力により両バックル体６，７を連結解除出来る。
【００３５】
更に、このように対向配置されている摺接ガイド面７ｃと外側面９ｂ（摺接案内面）とを利用して、窓穴Ａに向けて弾性片８に付与する弾性部９の付勢力を解除方向に向け易くなるため、弾性部９の付勢力により弾性片８を解除方向に滑動させ、結果として図５（ｃ）に示されるように、両バックル体６，７を容易に連結解除出来る。
【００３６】
尚、摺接案内面は、弾性部９の外側面９ｂが弾性片８の押圧により傾斜して形成されるものに限られず、両バックル体６，７の連結解除方向に向けて案内するように傾斜している摺接案内面が、予め弾性部に形成されていてもよい。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、上記実施例では、バックル１がストラップ２と携帯電話３との連結に適用されているが、雌バックル体の弾性部が、両バックル体を連結する際に弾性片と当接することで、弾性片に窓穴に向けて付勢力を付与する構成を備えたバックルであれば、例えば、社員証等のカード状体と、このカード状体を吊下する紐状体との連結に適用してもよいし、また例えば、ベルトなど紐状体の両端部に雄バックル体と雌バックル体とを接続し、両バックル体を連結することで、この紐状体を無端状にするものであってもよい。
【００３９】
また例えば、上記実施例では、弾性片８，８が雄バックル体６に一対に、すなわち２個設けられているとともに、弾性部９，９が雌バックル体７に一対に、すなわち２個設けられているが、弾性片及び弾性部の数量は、必ずしも本実施例に限られず、例えば弾性片及び弾性部が、各一個ずつ設けられていてもよい。
【図面の簡単な説明】
【００４０】
【図１】本発明の実施例におけるバックルの使用状況を示す斜視図である。
【図２】（ａ）は、バックルの連結状態を示す斜視図であり、（ｂ）は、バックルの連結解除状態を示す斜視図である。
【図３】雌バックル体の内部を示す斜視図である。
【図４】（ａ）は、両バックル体を連結する状況を示す一部断面図であり、（ｂ）は、弾性部が弾性片を窓穴に向けて付勢する状況を示す一部断面図であり、（ｃ）は、両バックル体が連結した状況を示す一部断面図である。
【図５】（ａ）は、両バックル体を連結解除する状況を示す一部断面図であり、（ｂ）は、弾性部が弾性片を解除方向に付勢する状況を示す一部断面図であり、（ｃ）は、両バックル体が連結解除した状況を示す一部断面図である。
【図６】図４（ｂ）のＢ−Ｂ断面図である。
【符号の説明】
【００４１】
１                バックル
２                ストラップ
３                携帯電話
６                雄バックル体
７                雌バックル体
７ａ              開口部
７ｃ              摺接ガイド面
７ｄ              周縁
８                弾性片
８ａ              押圧操作部
８ｂ              嵌挿部
８ｃ              突片
９                弾性部
９ａ              切欠き部
９ｂ              外側面（摺接案内面）
１０              中足部
Ａ                窓穴
【図１】
2008307342.tif 000003
【図２】
2008307342.tif 000004
【図３】
2008307342.tif 000005
【図４】
2008307342.tif 000006
【図５】
2008307342.tif 000007
【図６】
2008307342.tif 000008